(57)【要約】【課題】    本発明は、構成が簡単且つ容易で使い勝手がよく、安価で見栄えがよく、故障の発生率が極めて低く、修理も容易にできる等の著効を有する新規のロールペーパー入れを提供することを目的としている。【解決手段】  ロールペーパーの端を引出口から引き出してこれを切歯により切る手法により必要な長さずつ切り取って使用する形式のロールペーパー入れに関し、上記引出口にロールペーパーの切り残り端を抑え付けて同切り残り端の逆戻りを抑止する逆戻り抑止体を備え、この逆戻り抑止体は、その自重によりロールペーパーの切り残り端部を上から抑え付けて同切り残り端の逆戻りを抑止する自重抑止型逆戻り抑止体であることを特徴とする。【選択図】        図１
2006239374.tif 000002
【特許請求の範囲】
【請求項１】
ロールペーパーの端を引出口から引き出してこれを切歯により必要な長さずつ切り取って使用する形式のロールペーパー入れに関し、上記引出口にロールペーパーの切り残り端部分を抑え付けて同切り残り端の逆戻りを抑止する逆戻り抑止体を備えたことを特徴とするロールペーパー入れ。
【請求項２】
逆戻り抑止体は、その自重によりロールペーパーの切り残り端部を上から抑え付けて同切り残り端の逆戻りを抑止する自重抑止型逆戻り抑止体であることを特徴とする請求項１記載のロールペーパー入れ。
【請求項３】
逆戻り抑止体は、上記逆戻り方向に逆らう向きにされた毛先によりロールペーパーの切り残り端部の逆戻りを抑止するブラシ型逆戻り抑止体であることを特徴とする請求項１記載のロールペーパー入れ。
【請求項４】
逆戻り抑止体は、上記自重抑止型逆戻り抑止体と上記ブラシ型逆戻り抑止体との併用型逆戻り抑止体であることを特徴とする請求項１記載のロールペーパー入れ。
【請求項５】
上面開放型のケース本体と、このケース本体の上面開放口を開閉する蓋体を備え、ケース本体の正面部と蓋体の間にはロールペーパーの切り残り端を引き出す引出口が設けられ、また蓋体の遊端縁には切歯が設けられたロールペーパー入れであって、上記引出口は、ケース本体の正面部の上端に設けられた平面状部の上面と蓋体の遊端側部の内面により形成され、また上記平面状部の上面には、切り残り端の逆戻りを防止する逆戻り防止部が設けられ、この逆戻り防止部は、水平向きの背辺部と当該背辺部の両端に設けられた支脚部からなる逆戻り抑止体と、上記平面状部の上面に設けられた上記背辺部が嵌入する凹溝と、当該凹溝の両端に穿設された上記支脚部の上下移動孔とにより構成され、上記背辺部は上記平面状部の上を通るロールペーパーの上に乗った状態で重圧を掛け、使用者による引き出し力がロールペーパーに加えられていない間中、当該ロールペーパーを同凹溝内に押し込むことにより逆戻り防止機能を果たすようにされ、また使用者による引き出し力がロールペーパーに加えられた時には同ロールペーパーの張力によって上記逆戻り防止機能を解除するようにされたことを特徴とするロールペーパー入れ。
【請求項６】
請求項５に係るロールペーパー入れにあって、上記平面状部の外縁には張出部が設けられ、当該張出部の上面には上記切歯の受部が設けられ、この受部は上記張出部の上面に浅い凹溝を設けることにより構成され、切歯の歯の尖端と受部の底面とでロールペーパーを銜え止めている状態でロールペーパーを切り取るようにされたことを特徴とするロールペーパー入れ。
【発明の詳細な説明】
【技術分野】
【０００１】  本発明は、柔らかい紙をロール状に巻いたロールペーパーを必要な長さずつ任意に切り取って使用できるようにしたロールペーパー入れに関する。具体的にはトイレットロールペーパー等の安価なロールペーパーを必要な長さずつ任意に切り取って使用できるロールペーパー入れに関する。
【背景技術】
【０００２】  トイレットロールペーパー等の安価なロールペーパーを、テーブルや机の上、畳や板床に置いてティッシュペーパーの代用としたり、トイレットロールペーパーを印刷工場、加工工場の機械の側に置いてインキや油の汚れを拭き取るぼろ布やティッシュペーパーの代用としたりして使用することは、ごく一般的に行われている。しかし、このように使用されるロールペーパーは、その殆どが所謂裸のまま放置した状態で使用されているので、決して見栄えが良いとは言い難いものであった。そこで、見栄えを良くするために例えば下記の特許文献１には、外部からロールペーパーが見えないように収納する容器が提案されている。【０００３】  上記特許文献１記載のペーパーロール用容器は、薄板を裁断して組み立てた容器本体内にロール状のトイレットペーパーを収納し、正面の上部に設けた引出口からトイレットペーパーを必要な長さだけ引き出し、蓋体に設けた切歯で切断して使用する構造になっているものであった。
【特許文献１】特開平８−２３０８７１号公報
【発明の開示】
【発明が解決しようとする課題】
【０００４】  上記した従来のペーパーロール用容器は、切断により切り残された切り残り端部分（次に引き出すときの摘み部分として機能するペーパー先端部分）が、ロールペーパーの遊動や外力を受けた等の弾みで引出口から外れて内部に逆戻りすることが比較的簡単に起き易く、その後の引き出しができなくなるという問題があった。また、切歯の受部を有していないために、切れ損じてしまった見栄えの良くない不体裁な切れ残りができ易い問題があった。【０００５】  なお、切り残り端部分の逆戻りを解消するために、ギヤ機構、ロール機構、モータ駆動機構等を用いた所謂大仕けなものも従前提供されているが、これらはいずれも前記機構を備えている分だけ必然的にコストが高く、且つ部品点数が多い分だけ故障の発生率も高いものであった。このため、中には素人では修理が面倒だったり、できなかったりするような重大な故障事故を起し、結果的に修理されないまま放置されてしまうものも少なくなかった。【０００６】  本発明は、上記諸問題を解決することを主な目的としている。具体的には、構成が簡単且つ容易で使い勝手がよく、安価で見栄えがよく、故障の発生率が極めて低く、修理も容易にできる等の著効を有する新規のロールペーパー入れを提供することを目的としている。
【課題を解決するための手段】
【０００７】  上記目的を達成するために、請求項１に係るロールペーパー入れは、ロールペーパーの端を引出口から引き出してこれを切歯により切る手法により必要な長さずつ任意に切り取って使用する形式のロールペーパー入れに関し、上記引出口にロールペーパーの切り残り端部分を抑え付けて同切り残り端部分の逆戻りを抑止する逆戻り抑止体を備えたことを特徴とする。【０００８】  したがって、前回の切り取り操作によりできた切り残り端部分は、上記逆戻り抑止体により保持され、ロールペーパーの遊動や外力を受けた等の弾みで引出口から外れてケース本体内部に逆戻りする事態を惹起することはなく、確実に当該ケース本体内部への逆戻りは防止できる。すなわち、切り残り端部分を摘んで必要な分だけ引き出してから切り取る操作を問題なく必要に応じて繰り返し行うことができる。【０００９】  請求項２に係るロールペーパー入れは、請求項１記載のロールペーパー入れにあって、逆戻り抑止体は、その自重によりロールペーパーの切り残り端部分を上から抑え付けて同切り残り端部分の逆戻りを抑止する自重抑止型逆戻り抑止体であることを特徴とする。【００１０】  すなわち、請求項２に係るロールペーパー入れは、ロールペーパーの摘み出し部として機能する切り残り端部分が引出口から外れて内部に逆戻りする事故を上記したようなギヤ機構、ロール機構、モータ駆動機構等のような所謂大仕けな構造を使用しないでも自重抑止型逆戻り抑止体という極めて簡単な構成のもので防止できるようにしたものであり、上記体裁上の問題、コストの問題及び故障の問題を悉く解決できる。【００１１】  請求項３に係るロールペーパー入れは、請求項１記載のロールペーパー入れにあって、逆戻り抑止体は、上記逆戻り方向に逆らう向きにされた毛先によりロールペーパー切り残り端部分の逆戻りを抑止するブラシ型逆戻り抑止体であることを特徴とする。【００１２】  すなわち、請求項３に係るロールペーパー入れは、ロールペーパーの摘み出し部として機能する切り残り端部分が引出口から外れて内部に逆戻りする事故を上記したようなギヤ機構、ロール機構、モータ駆動機構等のような所謂大仕けな構造を使用しないでもブラシ型逆戻り抑止体という極めて簡単な構成で防止できるようにしたものであり、上記体裁上の問題、コストの問題及び故障の問題を悉く解決できる。【００１３】  請求項４に係るロールペーパー入れは、請求項１記載のロールペーパー入れにあって、逆戻り抑止体は、自重抑止型逆戻り抑止体とブラシ型逆戻り抑止体との併用型逆戻り抑止体であることを特徴とする。【００１４】  すなわち、請求項４に係るロールペーパー入れは、ロールペーパーの摘み出し部として機能する切り残り端部分が引出口から外れて内部に逆戻りする事故を上記したようなギヤ機構、ロール機構、モータ駆動機構等のような所謂大仕けな構造を使用しないでも逆戻り抑止体は、自重抑止型逆戻り抑止体とブラシ型逆戻り抑止体との併用型逆戻り抑止体という極めて簡単な構成で防止できるようにしたものであり、上記体裁上の問題、コストの問題及び故障・修理の問題を悉く解決できる。【００１５】  請求項５に係るロールペーパー入れは、上面開放型のケース本体と、このケース本体の上面開放口を開閉する蓋体を備え、ケース本体の正面部と蓋体の間にはロールペーパーの切り残り端部分を引き出す引出口が設けられ、また蓋体の遊端縁には切歯が設けられたロールペーパー入れであって、上記引出口は、ケース本体の正面部の上端に設けられた平面状部の上面と蓋体の遊端側部の内面により形成され、また上記平面状部の上面には、切り残り端部分の逆戻りを防止する逆戻り防止部が設けられ、この逆戻り防止部は、横向きの背辺部と当該背辺部の両端に設けられた縦向きの支脚部からなる逆戻り抑止体と、上記平面状部の上面に設けられた上記背辺部が嵌入する凹溝と、当該凹溝の両端に穿設された上記支脚部の上下移動孔とにより構成され、上記背辺部は上記平面状部の上を通るロールペーパーの上に乗った状態で同ロールペーパーに重圧を掛け、使用者による引き出し力がロールペーパーに加えられていない間中、当該ロールペーパーを同凹溝内に押し込むことによって逆戻り防止機能を果たすようにされ、また使用者による引き出し力がロールペーパーに加えられた時には同ロールペーパーの張力によって上記逆戻り防止機能を解除するようにされたことを特徴とする。【００１６】  したがって、請求項５に係るロールペーパー入れによれば、切り残り端部分の逆戻り抑止機能は、逆戻り抑止体の重さによる逆戻り抑止機能と当該重さを受けて切り残り端部分が凹溝内に押し込まれて凹凸形状に折れ曲がることによる逆戻り防止機能とが相俟って、より確実に果たすようにすることができる。また、引出口は、ケース本体の正面部の上端に設けられた平面状部の上面と蓋体の遊端側部の内面により形成しうるので、当該引出口の構成にあたっては特別なパーツを用意する必要が無く低コスト化に有利である。さらに、逆戻り防止部は、横向きの背辺部と当該背辺部の両端に設けられた縦向きの支脚部からなる逆戻り抑止体を凹溝の両端に穿設した上下移動孔に挿し込むことにより構成しうるので、実施が極めて容易且つ簡単にできる。【００１７】  請求項６に係るロールペーパー入れは、請求項５記載のロールペーパー入れにあって、上記平面状部の外縁には、張出部が設けられ、当該張出部の上面には上記切歯の受部が設けられ、この受部は上記張出部の上面に浅い凹溝を設けることによって構成され、切歯の歯の尖端と受部の凹溝の底面とでロールペーパーを銜え止めている状態でロールペーパーを切り取るようにされたことを特徴とする。【００１８】  したがって、必要とする長さのロールペーパーを切り取る操作は失敗なくスムーズに行うことができるのみならず切り損じがない体裁のよい綺麗な切り跡を容易に得ることができる。
【発明の効果】
【００１９】  本発明は、上記の通りであるので、構成が簡単且つ容易で使い勝手がよく、安価で見栄えがよく、故障の発生率が極めて低く、修理も容易にできる等の著効を有する新規のロールペーパー入れを提供するという所期の目的を完全に達成できる。
【発明を実施するための最良の形態】
【００２０】  図１乃至図４は、本発明の実施の形態に係るロールペーパー入れ１を示すものであって、図１は蓋を開けた状態を示す全体の斜視図であり、図２は蓋を閉じた状態で示す図１Ａ−Ａ線に沿う個所の断面図であり、図３は図２Ｂ−Ｂ線に沿う個所の断面図であり、図４はロールペーパーをセットする途中の状態を示す断面図である。【００２１】  この実施の形態に係るロールペーパー入れ１は、ロールペーパー２をその軸が水平になるようにして収納する上面開放型のケース本体３と、このケース本体３の上面開放口４を閉鎖する蓋体５とを備え、ケース本体３の正面部６と蓋体５の間にはロールペーパー２の先端を引き出す引出口７が設けられ、また蓋体５の遊端縁には引出口７の幅方向に延びる切歯８が設けられている。上記のケース本体３と蓋体５は、木製であるが、プラスチック製、金属材製、漆器製、陶磁器製あるいはこれらの混合製にすることは任意でありまた、切歯８はやや斜めに倒れた状態にしてあるが、限定するものではなくその他の角度を選定することは自由である。【００２２】  上記引出口７は、ケース本体３の正面部６の上端に設けられた平面状部１０の上面と閉じられた蓋体５の遊端側部１１の内面により形成され、これら平面状部１０の上面、遊端側部１１の内面の間をロールペーパー２の先端部分が通り外に引き出せる状態にしてある。なお、上記蓋体５の遊端側部１１の内面には、上記ロールペーパー２の逆戻り方向に逆らう向きにされた毛先によりロールペーパーの切り残り端部分の逆戻りを抑止するブラシ型逆戻り抑止体を設けてもよい。【００２３】  また、平面状部１０の上面には、切り残り端部分（次に引き出すときの摘み部分として機能するペーパー先端部分）１２の逆戻りを防止する次に詳述するような逆戻り防止部１４が設けられている。なお、この逆戻り防止部１４は、上記ブラシ型逆戻り抑止体と併用することができる。【００２４】  上記逆戻り防止部１４は、水平向きの背辺部１５と当該背辺部１５の両端に下向きに折り設けられた左右対の支脚部１６、１７からなる門型の逆戻り抑止体１８と、上記平面状部１０の上面に設けられた上記背辺部１５が嵌入する凹溝１９と、当該凹溝１９の両端に穿設された上記左・右支脚部１６、１７の上下移動孔２０，２１と、上記左・右支脚部１６、１７の下端に装備された抜止めも兼ねるウエート部材２２、２３とにより構成されている。なお、当該ウエート部材２２、２３は、上記逆戻り抑止体１８の重さで充分であれば設けなくともよく、また重さを調節できる構造で実施することもできる。【００２５】  上記逆戻り防止部１４は、その背辺部１５が上記平面状部１０の上を通るロールペーパー２の切り残り端部分１２の上に乗っかった状態で当該切り残り端部分１２に重圧を掛け、使用者による引き出し力がロールペーパー２に加えられていない間中、当該ロールペーパー２において上記凹溝１９の上方に存する個所を同凹溝１９内に押し込むことによって逆戻り防止機能を果たすようにされたものであり、また使用者による引き出し力がロールペーパー２に加えられた時には同ロールペーパー２の張力により上記逆戻り防止機能を解除してロールペーパー２の移動を許容するようにされたものである。【００２６】  さらに、上記平面状部１０の外縁には、張出部２６が設けられ、当該張出部２６の上面には上記切歯８の受部２７が設けられている。この受部２７は、上記張出部２６の上面に浅い凹溝２８を設けることによって構成されている。切歯８の歯の尖端と受部２６の底面とでロールペーパー２を銜え止めている状態でロールペーパー２の切り取りを行うようにされている。上記銜え止め状態での切り取り作業は、上記蓋体５の遊端側部１１の上面に使用者により押し下げ外力が加えられたときに実現できるようになっている。すなわち、切り取り作業は、ペーパーをしっかり銜え止めた状態で体裁のよい綺麗な切口（切跡）が残る切れ方になり易いようにしてある。【００２７】  また、上記ケース本体３内には、同内の中央位置にロールペーパー２を自然に戻す機能を果たす調整体２９が、ロールペーパー２の濫りな遊動をも抑制する状態で設けられている。【００２８】  なお、上記平面状部１０や張出部２６等における角部には、ロールペーパー２の引出を滑らかにするため及び安全性を確保するために比較的大きいアールの丸味が付けられている。また、図中において符号３１は、蓋体５を開閉自在にする蝶番を示している。この蝶番３１は、汎用のものであるのでその詳細説明は省略する。【００２９】  以下、上記実施の形態に係るロールペーパー入れ１の具体的な使用法を説明する。【００３０】  先ず、図４に示すように、蓋体５を開き、ケース本体３内にトイレット用のロールペーパー２を投入した後、逆戻り抑止体１８を一方の手の指で引き上げると共に当該引き上げた逆戻り抑止体１８の中を、他方の手の指を使ってロールペーパー２の先端部分を潜り通らせて形を整えてから、上記引き上げた逆戻り抑止体１８及びロールペーパー２の先端部分の手指を放すことによって、ロールペーパー２の先端部分を逆戻り抑止体１８の背辺部１５により挟み止め、使用できる状態を確保する。【００３１】  この状態で例えば、テーブルや機械の上等の適宜使用場所に置いて使用に備える。【００３２】  この備えた状態において、テーブルの上の汚れを拭く必要が生じた場合には、先ず図１に示すように蓋体５を開き、ロールペーパー２の先端部分を摘んで僅かに引き出してから蓋体５を閉じ状態に戻すと共に継続してさらに必要とする長さまで引き出す。この場合、引き出し途中で手指の持ち位置を適宜に変えながら引き出し操作を行うことが望ましい。このようにして必要とする長さまで引き出したところで、空いている方の手指で蓋体５の遊端側部１２を軽く押して切歯８と受部２７の凹溝２８の底面とでロールペーパー２を一時的に挟み押さえながら、引き出したロールペーパーの先端部分をやや斜め上方に捻りを加えつつ幾分強く引く要領で切り取り、この切り取った分のペーパーで上記汚れを拭き、よって綺麗に掃除すればよい。なお、上記の切り取り操作は、上記の要領に限定されるものではないので、使用者自身が使い易い要領で行えばよい。【００３３】  上記のようにして切り取った後は、切り残り端部分１２が引出口７内に残る。この切り残り端部分１２は、逆戻り抑止体１８の重さを受けて平面状部１０の凹溝１９内に曲がり入って保持される。したがって、ロールペーパーの遊動や外力��受けた等の弾みで引出口７から外れてケース本体３の内部に逆戻りすることは、確実に防止できる。【００３４】  なお、切り残り端部分１２が逆戻り抑止体１８により保持された状態の切り取り操作は、上記した最初の切り取り要領と同様に蓋体５を開いて切り残り端部分１２を摘んで引き出しながら蓋体５を閉じ状態に戻し、その後は上記と同様にすればよい。したがって、切り残り端部分１２を摘んで必要な分だけ引き出してから切り取る操作を必要に応じて繰り返し行うことでロールペーパー２の全部を使い切ることができる。【００３５】  図５は、別異の実施の形態に係るロールペーパー入れ示すものである。この図５に示す実施の形態は、上記実施の形態に係るロールペーパー入れ１と蓋体５の構成が異なっているものである。すなわち、蓋体５の遊端側部１１が折曲げ自在部３０を介して設けられ、この遊端側部１１だけを開閉してロールペーパー２の切り残り端部分１２を摘み出せるようにしてあるものである。【００３６】  また、本発明の要点は、ロールペーパーの端を引出口から引き出してこれを切歯により必要な長さずつ切り取って使用する形式のロールペーパーホルダーでも実施することができる。すなわち、上記引出口にロールペーパーの切り残り端部分を抑え付けて同切り残り端部分の逆戻りを抑止する逆戻り抑止体を備えた形式のロールペーパーホルダーであって、上記逆戻り抑止体は、水平向きの背辺部と当該背辺部の両端に設けられた支脚部からなる逆戻り抑止体と、上記背辺部が嵌入する凹溝と、当該凹溝の両端に穿設された上記支脚部の上下移動孔とにより構成され、上記背辺部は上記切り残り端部分の上に乗った状態で重圧を掛け、使用者による引き出し力がロールペーパーに加えられていない間中、当該ロールペーパーを同凹溝内に押し込むことにより逆戻り防止機能を果たすようにされ、また使用者による引き出し力がロールペーパーに加えられた時には同ロールペーパーの張力によって上記逆戻り防止機能を解除するようにされたロールペーパーホルダーを実施することができる。したがって、この実施にも本発明は及ぶものとする。【００３７】  以上、本発明の実施の形態について説明したが、本発明は、上記実施形態に限定されるものでなく、特許請求の範囲に記載された発明の精神を逸脱しない範囲において、種々の態様で実施することが可能であり、本発明はこれ等実施されたものにも及ぶものである。
【図面の簡単な説明】
【００３８】
【図１】実施の形態に係るロールペーパー入れを蓋を開けた状態で示す全体の斜視図である。
【図２】蓋を閉じた状態で示す図１Ａ−Ａ線に沿う個所の断面図である。
【図３】図２Ｂ−Ｂ線に沿う個所の断面図である。
【図４】ロールペーパーをセットする途中の状態を示す断面図である。
【図５】別異の実施の形態に係るロールペーパー入れを示す断面図である。
【符号の説明】
【００３９】  １  実施の形態に係るロールペーパー入れ
２  ロールペーパー
３  ケース本体
４  上面開放口
５  蓋体
６  正面部
７  引出口
８  切歯
１０  平面状部
１１  遊端側部
１２  切り残り端部分
１４  逆戻り防止部
１５  背辺部
１６  支脚部
１７  支脚部
１８  逆戻り抑止体
１９  凹溝
２０  移動孔
２１  移動孔
２２  ウエート部材
２３  ウエート部材
２６  張出部
２７  受部
２８  凹溝
２９  調整体
３０  折曲げ自在
３１  蝶番
【図１】
2006239374.tif 000003
【図２】
2006239374.tif 000004
【図３】
2006239374.tif 000005
【図４】
2006239374.tif 000006
【図５】
2006239374.tif 000007